(57)【要約】【目的】本発明は、機器探索装置および機器探索方法に関し、ネットワークのハブに接続された機器について、パケットを送信して機器が接続されているハブのポートのうち１つのみが接続されているハブあるいはハブのポート、ケーブル、機器などを点灯、点滅させて機器の接続場所を明示することを目的とする。【構成】ネットワークから特定パケットが受信されたときにパケット中の宛先のＭＡＣアドレスを取り出してＭＡＣテーブルを参照し、取り出した宛先のＭＡＣアドレスが１つのみ登録されているポートがあるか判別する比較手段と、比較手段によって受信したパケットの宛先のＭＡＣアドレスが１つのみ登録されているポートが見つかった場合に、ポートを明るく点灯あるいは点滅させて当該ポートの先に指定された機器が接続されている旨を表示する手段とを備える。【選択図】        図１
2011010151.tif 000002
【特許請求の範囲】
【請求項１】
ネットワークのハブに接続された機器を探索する機器探索装置において、
前記各ハブに、
当該ハブのポートの先に接続されている機器のＭＡＣアドレスを当該ポート番号に対応づけて登録するＭＡＣテーブルと、
ネットワークから特定パケットが受信されたときに当該パケット中の宛先のＭＡＣアドレスを取り出して前記ＭＡＣテーブルを参照し、当該取り出した宛先のＭＡＣアドレスが１つのみ登録されているポートがあるか判別する比較手段と、
前記比較手段によって受信したパケットの宛先のＭＡＣアドレスが１つのみ登録されているポートが見つかった場合に、当該ポートを明るく点灯あるいは点滅させて当該ポートの先に指定された機器が接続されている旨を表示する手段と
を備えたことを特徴とする機器探索装置。
【請求項２】
前記ポートを明るく点灯あるいは点滅させて当該ポートの先に指定された機器が接続されている旨を表示するとして、当該ポートの近くに表示器を設けて点灯あるいは点滅することを特徴とする請求項１記載の機器探索装置。
【請求項３】
前記ポートを明るく点灯あるいは点滅させて当該ポートの先に指定された機器が接続されている旨を表示するとして、当該ポートに接続されているコネクタあるいはケーブルに表示部分を設けて当該コネクタあるいはケーブルを点灯あるいは点滅することを特徴とする請求項１記載の機器探索装置。
【請求項４】
前記ポートを明るく点灯あるいは点滅させて当該ポートの先に指定された機器が接続されている旨を表示するとして、当該ポートに接続されているコネクタ中の未使用線を介して機器に信号を送信して当該機器の表示器を点灯あるいは点滅させることを特徴とする請求項１から請求項３のいずれかに記載の機器探索装置。
【請求項５】
前記特定パケットが受信されたときとして、探索対象の機器のＭＡＣアドレスを宛先のＭＡＣアドレスとしたＰＩＮＧコマンドが設定された特定パケットが受信されたときとしたことを特徴とする請求項１から請求項４のいずれかに記載の機器探索装置。
【請求項６】
ＭＡＣテーブルをクリアするクリアコマンドを設定したパケットをネットワークを介して各ハブに送信して当該ＭＡＣテーブルをクリアした後、所定時間経過後に前記特定パケットを各ハブに送信することを特徴とする請求項１から請求項５のいずれかに記載の機器探索装置。
【請求項７】
学習テーブルを所定時間毎にクリアするエージング機能を有効にしてハブの学習テーブルを所定時間毎にクリアさせることを特徴とする請求項１から請求項６のいずれかに記載の機器探索装置。
【請求項８】
ネットワークのハブに接続された機器を探索する機器探索方法において、
前記各ハブに、
当該ハブのポートの先に接続されている機器のＭＡＣアドレスを当該ポート番号に対応づけて登録するＭＡＣテーブルを設け、
ネットワークから特定パケットが受信されたときに当該パケット中の宛先のＭＡＣアドレスを取り出して前記ＭＡＣテーブルを参照し、当該取り出した宛先のＭＡＣアドレスが１つのみ登録されているポートがあるか判別する比較ステップと、
前記比較ステップによって受信したパケットの宛先のＭＡＣアドレスが１つのみ登録されているポートが見つかった場合に、当該ポートを明るく点灯あるいは点滅させて当該ポートの先に指定された機器が接続されている旨を表示するステップと
を有することを特徴とする機器探索方法。
【発明の詳細な説明】
【技術分野】
【０００１】
本発明は、ネットワーク接続された機器を探索する機器探索装置および機器探索方法に関するものである。
【背景技術】
【０００２】
従来、ネットワークに接続された機器が多数ある場合、特定の機器を保守、撤去したり、特定の機器に接続されているケーブルを交換したりなどする作業を行う場合、作業者は機器が概観上同じであると明示的に見分けられず、各機器に貼ってあるラベルを１つ１つ調べて該当する機器を多数の機器の中から見つけ出し、作業を行うようにしていた。
【発明の開示】
【発明が解決しようとする課題】
【０００３】
上述した従来の技術では、ネットワークに接続された同じような概観が多数ある場合や概観では判別できない場合などには多数の機器から特定の機器を見つけるために各機器に貼ってあるラベルを１つ１つ作業者が読んで対象となる機器を見つけ出し、機器の保守、撤去、あるいは当該機器に接続されているケーブルを交換などしていたため、ネットワークに接続されている多数の機器から特定の機器を迅速かつ確実に見つけ出すことが困難であるという問題があった。
【課題を解決するための手段】
【０００４】
本発明は、これらの問題を解決するため、ネットワークのハブに接続された機器について、パケットを送信して機器が接続されているハブのポートのうち１つのみが接続されているハブあるいはハブのポート、ケーブル、機器などを点灯、点滅させて機器の接続場所を明示することを目的としている。
【０００５】
そのため、本発明は、ネットワークのハブに接続された機器を探索する機器探索装置において、各ハブに、ハブのポートの先に接続されている機器のＭＡＣアドレスをポート番号に対応づけて登録するＭＡＣテーブルと、ネットワークから特定パケットが受信されたときにパケット中の宛先のＭＡＣアドレスを取り出してＭＡＣテーブルを参照し、取り出した宛先のＭＡＣアドレスが１つのみ登録されているポートがあるか判別する比較手段と、比較手段によって受信したパケットの宛先のＭＡＣアドレスが１つのみ登録されているポートが見つかった場合に、ポートを明るく点灯あるいは点滅させて当該ポートの先に指定された機器が接続されている旨を表示する手段とを備えるようにしている。
【０００６】
この際、ポートを明るく点灯あるいは点滅させて当該ポートの先に指定された機器が接続されている旨を表示するとして、ポートの近くに表示器を設けて点灯あるいは点滅するようにしている。
【０００７】
また、ポートを明るく点灯あるいは点滅させて当該ポートの先に指定された機器が接続されている旨を表示するとして、ポートに接続されているコネクタあるいはケーブルに表示部分を設けてコネクタあるいはケーブルを点灯あるいは点滅するようにしている。
【０００８】
また、ポートを明るく点灯あるいは点滅させて当該ポートの先に指定された機器が接続されている旨を表示するとして、ポートに接続されているコネクタ中の未使用線を介して機器に信号を送信して機器の表示器を点灯あるいは点滅させるようにしている。
【０００９】
また、特定パケットが受信されたときとして、探索対象の機器のＭＡＣアドレスを宛先のＭＡＣアドレスとしたＰＩＮＧコマンドが設定された特定パケットが受信されたときとするようにしている。
【００１０】
また、ＭＡＣテーブルをクリアするクリアコマンドを設定したパケットをネットワークを介して各ハブに送信してＭＡＣテーブルをクリアした後、所定時間経過後に特定パケットを各ハブに送信するようにしている。
【００１１】
また、学習テーブルを所定時間毎にクリアするエージング機能を有効にしてハブの学習テーブルを所定時間毎にクリアさせるようにしている。
【発明の効果】
【００１２】
本発明は、ネットワークのハブに接続された機器について、パケットを送信して機器が接続されているハブのポートのうち１つのみが接続されているハブあるいはハブのポート、ケーブル、機器などを点灯、点滅させて機器の接続場所を明示することが可能となる。
【発明を実施するための最良の形態】
【００１３】
本発明は、ネットワークのハブに接続された機器について、パケットを送信して対象機器が接続されているハブのポートのうち１つのみが接続されているハブあるいはハブのポート、ケーブル、機器などを点灯、点滅させて機器の接続場所を明示することを実現した。
【実施例１】
【００１４】
図１は、本発明の１実施例構成図を示す。
【００１５】
図１において、スイッチングハブ（ハブ）１１は、ネットワークを構成するスイッチングハブ（ハブ）であって、いずれかのポートから受信したパケット（例えば後述する図２の（ａ）参照）を当該パケットの宛先に向かうポートから送信したりなどするものであり、ここでは、受信手段１２、送信手段１３、比較手段１４、ＭＡＣテーブル１５、点灯手段１６、ＬＥＤ１７，ポート１８などから構成されるものである。
【００１６】
受信手段１２は、外部からいずれかのポート１８に送信されてきたパケットを受信して一時的に保持するものである。
【００１７】
送信手段１２は、受信手段１２で受信して保持したパケットを、ＭＡＣテーブル１５を参照して当該パケットの宛先に向かうポートから送信するものである。
【００１８】
比較手段１４は、受信手段１２で受信した一時的に保持したパケット中の宛先のＭＡＣアドレスを取り出し、ＭＡＣテーブル１５中に登録されているポート番号および当該ポートに登録されているＭＡＣアドレスの数を判別したり、更に、１つのＭＡＣアドレスが登録されているポート番号を判別するものである。
【００１９】
ＭＡＣテーブル１５は、ポート番号に対応づけて当該ポート番号の先にある機器、スイッチハブなどのＭＡＣアドレスを登録するものである。
【００２０】
点灯手段１６は、特定パケット（例えばＰＩＮＧコマンドの設定された特定パケット）中の宛先ＭＡＣアドレスについてＭＡＣテーブル１５を参照して１つ登録されているポート番号の通知を比較手段１４から受信したときに、該当するポート番号のＬＥＤ１７を点灯あるいは点滅し、当該点灯あるいは点滅したＬＥＤ１７に対応するポート番号のポート１８の先に特定パケットで指定された機器２１が接続されている旨を表示するためのものである（後述する）。
【００２１】
ＬＥＤ１７は、ポート１８の番号に対応づけて設けた発光素子である。
【００２２】
ポート１８は、スイッチングハブ１１に設けたポートであって、パケットを送受信する口（ポート）であり、ポート番号０からポート番号（Ｎー１）のＮ個のポートである。
【００２３】
機器／スイッチングハブ２１は、機器０／スイッチングハブ０、機器１／スイッチングハブ１、・・・、機器（Ｎ−１）／スイッチングハブ（Ｎ−１）のＮ台から構成される機器またはスイッチングハブであって、ネットワークに接続される機器（パソコンなどの端末）あるいはスイッチングハブ（ハブ）１１である。
【００２４】
調査ＰＣ２１は、探索対象の機器が接続されているスイッチングハブ１１のポート１８に対応するＬＥＤ１７を点灯あるいは点滅させる特定パケット（例えば図２の（ａ），（ｂ）ＰＩＮＧコマンドを設定した特定パケット）を送信するものである。
【００２５】
図２は、本発明の説明図を示す。
【００２６】
図２の（ａ）は、ネットワーク例を示す。図示のネットワークは、左端の調査ＰＣ２２から右方向にＳＷ１（図１のスイッチングハブ１１と同一構成）、ＳＷ２（図１のスイッチングハブ１１と同一構成）、ＳＷ３（図１のスイッチングハブ１１と同一構成）、およびＬＥＤ点灯対象（探索対象）のＳＶ４（図１の機器２１）が接続され、かつＳＷ１にＳＶ１（図１の機器２１），ＳＷ２にＳＶ２（図１の機器２１）、ＳＷ３にＳＶ３（図１の機器２１）がそれぞれ接続されているネットワークの例を示す。そして、ＳＷ１，ＳＷ２，ＳＷ３の図示のポートに他のＳＷ（スイッチングハブ）あるいはＳＶ（機器）が図示のように接続され、かつＭＡＣアドレスであるＭＡＣ１１，２１，３１，３０，ＩＰアドレスであるＩＰ１１，ＩＰ２１，ＩＰ３１，ＩＰ３０がそれぞれ固有に有する（ＭＡＣアドレス）あるいは割り当てられている（ＩＰアドレス）とし、以下動作を順次詳細に説明する。
【００２７】
図２の（ｂ）は、動作説明図を示す。図２の（ｂ）中で、調査ＰＣ２２，ＳＷ１，ＳＷ２，ＳＷ３は、図２の（ａ）の調査ＰＣ２２，ＳＷ１，ＳＷ２，ＳＷ３にそれぞれ対応している。また、ＳＷ１中のＳ２からＳ８の処理は、ＳＷ２、ＳＷ３でも同様に実行される。
【００２８】
図２の（ｂ）において、Ｓ１は、図２の（ａ）のネットワーク上で左端の調査ＰＣ２２が、ＳＶ４のＭＡＣアドレス（ＭＡＣ３０）を宛先ＭＡＣアドレスとして設定した特定パケット（例えば後述する図３の（ａ），（ｂ）のＰＩＮＧコマンドを設定し、宛先ＭＡＣアドレスとしてＭＡＣ３０（ＳＶ４のＭＡＣアドレス）を設定した特定コマンド）を送信する。
【００２９】
Ｓ２は、Ｓ１で送信されたパケットを、図２の（ａ）のＳＷ１の受信手段１２が受信する。
【００３０】
Ｓ３は、宛先ＭＡＣアドレスを取り出す。これは、図２の（ａ）のＳＷ１の比較手段１４がＳ２で受信したパケット中から宛先ＭＡＣアドレスとして設定されている宛先ＭＡＣアドレスとして、ここでは、ＭＡＣ３０（ＳＶ４のＭＡＣアドレス）を取り出す。
【００３１】
Ｓ４は、ＭＡＣテーブルにあるか判別する。これは、Ｓ３で取り出した宛先ＭＡＣアドレス（ＭＡＣ３０）が、ＭＡＣテーブル１５のいずれかのポート番号に登録されているか判別する。ＹＥＳの場合には、Ｓ５で該当ポート（登録されていたポート番号のポート）からパケットを送信（外部に送信）する。ＮＯの場合には、ＭＡＣテーブル１５に登録されていないと判明したので、Ｓ６で全ポートからパケットを送信する（受信したパケットについて、いわゆるブルードキャストを行う）。
【００３２】
以上のＳ２からＳ６によって、ＳＷ１は、受信したパケットをＭＡＣテーブル１５に登録されている宛先ＭＡＣアドレスに向けて転送する処理を実行することが可能となる。
【００３３】
また、Ｓ７は、ＭＡＣテーブルに１つか判別する。これは、図２の（ａ）のＳＷ１の比較手段１４がＭＡＣテーブル１５を参照し、受信したパケットの宛先ＭＡＣアドレスが登録されているポート番号に、当該宛先ＭＡＣアドレスが１つのみであるか判別する。ＹＥＳの場合には、Ｓ８で点灯処理、即ち、図１の点灯手段１６が１つのみあると判別したポート番号のＬＥＤ１７を点灯あるいは点滅させ、当該点灯あるいは点滅させたＬＥＤ１７に対応するポート番号のポートに、探索対象の宛先ＭＡＣアドレスが１つのみ接続されている機器がある旨を表示し、作業者（調査者）に知らせることが可能となる。ＮＯの場合には、１つのみでなく、複数の機器、ＳＷが接続されていると判明したので、点灯処理を行わない。
【００３４】
上記例で、図２の（ａ）の左端の調査ＰＣ２２から送信された宛先ＭＡＣアドレス（ＭＡＣ３０）の設定されているパケットの場合には、ＳＷ１、ＳＷ２、ＳＷ３と順次転送され（図２の（ｂ）のＳ５）、ＳＷ３で図２の（ａ）のＳ７のＹＥＳ，Ｓ８となり、当該ＳＷ３のポート番号０のＬＥＤが点灯あるいは点滅されることとなる（図３の（ｃ−２）のＭＡＣテーブル（ＳＷ３）のＬＥＤ点灯参照）。
【００３５】
図３は、本発明のＰＩＮＧパケット例を示す。
【００３６】
図３の（ａ）は、パケット（ＰＩＮＧ）の構成例を示す。ＰＩＮＧコマンドの設定されたパケットは、図示の下記の情報を設定したものである。
【００３７】
・ＭＡＣアドレス：
・宛先ＭＡＣアドレス：
・送信元ＭＡＣアドレス：
・ＩＰアドレス：
・送信元ＩＰアドレス：
・宛先ＩＰアドレス：
・ＰＩＮＧ情報：
・ＰＩＮＧパラメータ１：
・データ：
・その他（ＣＲＣなど）
ここで、ＭＡＣアドレスは、機器に固有のＭＡＣアドレスであって、パケットには宛先のＭＡＣアドレス（宛先ＭＡＣアドレス）および送信元のＭＡＣアドレス（送信元ＭＡＣアドレス）を設定する。ＩＰアドレスは、機器に割り当てられたＩＰアドレスであって、パケットには送信元のＩＰアドレス（送信元ＩＰアドレス）および宛先のＩＰアドレス（宛先ＩＰアドレス）を設定する。ＰＩＮＧ情報は、宛先ＭＡＣアドレス、宛先ＩＰアドレスを有する機器との間でデータの送受信を行い、それに要した時間などを測定するためのコマンドであって、例えば図３の（ｂ）のパケットの詳細例中のタイプに”０８”を設定することで、本発明の特定パケットとなり、既述した図２の（ｂ）のＳ７のＹＥＳ，Ｓ８の点灯処理を実行させることが可能となる。データは、パケットに設定して送信する各データである。その他は、ＣＲＣなどのチェック用の情報である。
【００３８】
図３の（ｂ）は、パケット（ＰＩＮＧ）の詳細例を示す。図示のパケットは、図３の（ａ）のパケットの詳細を示すものであって、ＭＡＣアドレス、ＩＰアドレスは図３の（ａ）のＭＡＣアドレス、ＩＰアドレスに対応する。また、タイプ”０８”と設定することで、ＰＩＮＧコマンドを設定したパケット（本発明の特定パケット）となるものである。尚、ここでは、ＰＩＮＧコマンドを本発明の特定パケットとしたが、これに限られることなく、パラメータ中あるいはデータ中に本発明の特定パケットである旨を設定し、図２の（ｂ）のＳ７のＹＥＳ、Ｓ８の点灯処理を実行させるようにしてもよい。
【００３９】
尚、ＩＰアドレスは、＊＊＊．＊＊＊．＊＊＊．＊＊＊であって、＊＊＊は０から２５５までの間の任意の数字からなる公知のものである。ＭＡＣアドレスは機器固有の数字などで表現される公知のものである。
【００４０】
図３の（ｃ）は、ＭＡＣテーブル例を示す。
【００４１】
図３の（ｃ−１）は、図２の（ａ）のＳＷ１のＭＡＣテーブル（ＳＷ１）を示す。ここでは、ポート０，１にそれぞれ図示の下記の宛先ＭＡＣアドレスが設定（登録）される。
【００４２】
・ポート０：ＭＡＣ２１，ＭＡＣ３０，ＭＡＣ３１
・ポート１：ＭＡＣ１１
ここで、図２の（ａ）のＳＷ１のポート０の先には、ＳＶ２（ＭＡＣ２１），ＳＶ３（ＭＡＣ３１），ＳＶ４（ＭＡＣ３０）がそれぞれ接続されているので、これら機器ＳＶ２、ＳＶ３、ＳＶ４の宛先ＭＡＣアドレスＭＡＣ２１，ＭＡＣ３１，ＭＡＣ３０が登録されたものである。ポート１の先には、ＳＶ１（ＭＡＣ１１）が接続されているので、宛先ＭＡＣアドレスＭＡＣ１１が登録されたものである。
【００４３】
実際の登録手順は、図２の（ａ）のネットワークで調査ＰＣ２２がパケット（図３の（ａ），（ｂ））をＳＶ４に向けて送信し、それに対して応答パケットが受信されたときにその応答通路となったＳＷ３のポート０、ＳＷ２のポート０、ＳＷ１のポート０に対応づけて宛先ＭＡＣアドレス（ＭＡＣ３０）がそれぞれＭＡＣテーブルに登録されるものである（公知技術）。また、ＰＣ２２への応答だけではなく、同様に、ＳＶ２〜ＳＶ４がなんらかの応答パケットを送信すれば、ＭＡＣアドレスが該当ＳＷのＭＡＣテーブルにそれぞれ登録される。
【００４４】
図３の（ｃ−２）は、図２の（ａ）のＳＷ３のＭＡＣテーブル（ＳＷ３）を示す。ここでは、ポート０，１にそれぞれ図示の下記の宛先ＭＡＣアドレスが設定（登録）される。
【００４５】
・ポート０：ＭＡＣ３０
・ポート１：ＭＡＣ３１
以上のように図２の（ａ）のネットワークを構成する各ＳＷ１，ＳＷ２，ＳＷ３のＭＡＣテーブル（図３の（ｃ−１）、（ｃ−２））に自動登録されるので、図２の（ａ）の調査ＰＣ２２から機器ＳＶ４（ＭＡＣ３０，ＩＰ３０）を指定した特定コマンド（図３の（ａ），（ｂ））をネットワークに送信すると、図２の（ｃ−２）のＭＡＣテーブル（ＳＷ３）のポート０に探索対象の宛先ＭＡＣアドレス（ＭＡＣ３０）が１つのみ接続（登録）されているので、探索対象の機器ＳＶ４の接続されているＳＷ３のポート０のＬＥＤを点灯あるいは点滅させて、表示させることが可能となる。
【００４６】
図４は、本発明のＬＥＤ点灯処理説明図を示す。
【００４７】
図４の（ａ）は、フローチャートを示す。
【００４８】
図４の（ａ）において、Ｓ１１は、該当ポートのＬＥＤ点灯する（点灯、点滅、色を変える）。これにより、既述した図２の（ｂ）のＳ７で宛先ＭＡＣアドレスが登録されているポートについて、ＭＡＣテーブルに１つのみの宛先ＭＡＣアドレスが登録されていると判明した場合に、該当ポートのＬＥＤを点灯、点滅、色を変えることにより、スイッチングハブ１１の該当ポートに探索対象の機器（宛先ＭＡＣアドレス）が接続されていることを明示的に表示することが可能となる。
【００４９】
図４の（ｂ）は、スイッチングハブのポートを構成するコネクタおよびＬＥＤの概観例を示す。スイッチングハブのポートを構成するコネクタに、ＬＡＮケーブルのコネクタを挿入して機器とを接続した状態で、図２の（ａ）の調査ＰＣ２２から特定パケットに宛先ＭＡＣアドレスを設定して送信すると、ＭＡＣテーブルを参照して当該宛先ＭＡＣアドレスが１つのみ登録されているポートのＬＥＤが点灯、点滅、色を変えるように表示されるので、極めて簡易に探索対象の機器が接続されているスイッチングハブのポートを見つけてケーブルなどの交換作業や機器の保守点検したりなどすることが可能となる。
【００５０】
図５は、本発明のケーブル発行説明図を示す。
【００５１】
図５の（ａ）は、フローチャートを示す。
【００５２】
図５の（ａ）において、該当ポートのケーブルに電界を印加して点灯（点滅）する。これは、既述した図２の（ｂ）のＳ７で宛先ＭＡＣアドレスが登録されているポートについて、ＭＡＣテーブルに１つのみの宛先ＭＡＣアドレスが登録されていると判明した場合に、該当ポートに接続されているケーブルに電界を印加して点灯、点滅させることにより、スイッチングハブ１１の該当ポートに探索対象の機器（宛先ＭＡＣアドレス）が接続されていることを明示的に表示することが可能となる。
【００５３】
図５の（ｂ）は、ケーブル例を示す。これは、スイッチングハブのポートに接続されているケーブルの断面図を示し、当該ケーブルの左側、右側に導電性（半導電性）の導体および電界で発光する物質を塗布（あるいは形成）し、これらの間に高周波電圧を印加して電界を発生させて物質を発光させたり、有機発光性物質を形成して発光させたりする例を示す。このようにケーブル自体を発光させることにより、極めて簡易に探索対象の機器を見つけてケーブルなどの交換作業や機器の保守点検したりなどすることが可能となる。
【００５４】
図６は、本発明の探索機器の点灯説明図を示す。
【００５５】
図６において、Ｓ３１は、ケーブルの未使用線を使って、点灯指示信号を送出する。これは、例えば既述した図２の（ａ）のＳＷ３がポート０に接続されている機器ＳＶ４が探索機器と判明した場合、ＳＷ３のポート０と機器ＳＶ４とを接続するＬＡＮケーブル中の未使用線に、点灯指示信号を送信する。
【００５６】
Ｓ３２は、探索機器がケーブルの未使用線を使って、点灯指示信号を受信し、点灯する。これは、Ｓ３１でＳＷ３で送信された点灯指示信号を、探索機器ＳＶ４が受信し、点灯する（例えば機器ＳＶ４に備える全ＬＥＤを点滅表示などする）。これにより、作業者は、図２の（ａ）の調査ＰＣ２２から探索機器の宛先ＭＡＣアドレスを設定したパケットをネットワークに送信すると、探索機器のＬＥＤが点滅表示するので、簡易に該当探索機器を見つけて、保守作業などを実行することが可能となる。
【００５７】
図７は、本発明のクリアコマンドによる点灯処理フローチャートを示す。
【００５８】
図７において、Ｓ４１は、クリアテーブルコマンドを送信する。これは、例えば既述した図２の（ａ）の調査ＰＣ２２を操作し、クリアテーブルコマンドを設定したパケット（例えばclear bridgeを設定したパケット）をネットワークに送信する。
【００５９】
Ｓ４２は、各ＳＷのＭＡＣテーブルをクリアする。これは、Ｓ４１でクリアテーブルコマンドを設定したパケットを、図２の（ａ）の調査ＰＣ２２が送信すると、受信したＳＷ１，ＳＷ２，ＳＷ３が自身のＭＡＣテーブル１５のポート番号に対応づけて登録されているＭＡＣアドレスをクリアする。
【００６０】
Ｓ４３は、所定時間経過後にＰＩＮＧコマンドを設定したパケットを送信する。ＰＩＮＧコマンドの設定されたパケットを受信した図２の（ａ）のＳＷ１、ＳＷ２、ＳＷ３のうちの、既述した例ではＳＷ３のポート０が宛先ＭＡＣアドレス（ＭＡＣ３０）が１つのみ登録されていると判明（ＳＷ３のＭＡＣアドレスを参照して判明）し、当該機器ＳＶ４のポートのＬＥＤなどを点灯することが可能となる。この際、最初にクリアコマンドで全ＳＷのＭＡＣテーブルをクリアしているので、クリアした後、所定時間経過した時点で１つの宛先ＭＡＣアドレスのみが登録されているポートのＬＥＤを点灯するので、過去に接続された他の機器のＭＡＣアドレスを消去でき、現時点で接続されている情報をもとに確実に探索機器のポートを判別することが可能となる。
【００６１】
図８は、本発明のエージング機能により点灯処理フローチャートを示す。
【００６２】
図８において、Ｓ５１は、エージング時間の間、無通信のＭＡＣアドレスを消去する。これは、図２の（ａ）のネットワークを構成する全ＳＷ（ＳＷ１、ＳＷ２、ＳＷ３）が自身のＭＡＣテーブル１５について、設定されたエージング時間の間、無通信のＭＡＣアドレスを消去する。
【００６３】
Ｓ５２は、ＭＡＣアドレスを１つだけ学習しているポートのみを点灯処理する。
【００６４】
以上により、ネットワークを構成する全ＳＷに所定のエージング時間を設定することで、自動的にＭＡＣテーブル１５中の所定のエージング時間の間、無通信のＭＡＣアドレスを消去し、当該エージング時間内に通信したＭＡＣアドレスのみを対象に、宛先ＭＡＣアドレスかつ１つのみ登録されているスイッチハブのポートを点灯することができ、直近のエージング時間内で通信したＭＡＣアドレスのみを対象に、宛先ＭＡＣアドレスが１つのみ登録されているスイッチングハブのポートを点灯させ、現時点で接続されている情報をもとに確実に探索機器のポートを判別することが可能となる。
【産業上の利用可能性】
【００６５】
本発明は、ネットワークのハブに接続された機器について、パケットを送信して探索機器が接続されているハブのポートのうち１つのみが接続されているハブあるいはハブのポート、ケーブル、機器などを点灯、点滅させて機器の接続場所を明示する機器探索装置および機器探索方法に関するものである。
【図面の簡単な説明】
【００６６】
【図１】本発明の１実施例構成図である。
【図２】本発明の説明図である。
【図３】本発明のＰＩＮＧパケット例である。
【図４】本発明のＬＥＤ点灯処理説明図である。
【図５】本発明のケーブル発光説明図である。
【図６】本発明の探索機器の点灯説明図である。
【図７】本発明のクリアコマンドによる点灯処理フローチャートである。
【図８】本発明のエージング機能による点灯処理フローチャートである。
【符号の説明】
【００６７】
１１：スイッチングハブ（ＳＷ）
１２：受信手段
１３：送信手段
１４：比較手段
１５：ＭＡＣテーブル
１６：点灯手段
１７：ＬＥＤ
１８：ポート
２１：機器／スイッチングハブ
２２：調査ＰＣ
【図１】
2011010151.tif 000003
【図２】
2011010151.tif 000004
【図３】
2011010151.tif 000005
【図４】
2011010151.tif 000006
【図５】
2011010151.tif 000007
【図６】
2011010151.tif 000008
【図７】
2011010151.tif 000009
【図８】
2011010151.tif 000010